【手続補正書】
【提出日】平成16年10月19日(2004.10.19)
【手続補正１】
【補正対象書類名】明細書
【補正対象項目名】全文
【補正方法】変更
【補正の内容】
【書類名】明細書
【発明の名称】データ管理サービスシステム
【特許請求の範囲】
【請求項１】  携帯電話端末とデータ管理サービス機関の管理サーバ装置とを通信回線を介して接続可能とするとともに、該管理サーバ装置に携帯電話端末に対応する利用者領域を設け、
該利用者領域に、携帯電話端末からのデータ情報をアップロード及びダウンロードできる
ことを特徴とするデータ管理サービスシステム。
【請求項２】  前記利用者領域にサーバ管理領域を設け、該サーバ管理領域からのデータ情報のダウンロードは、前記利用者領域に対応する携帯電話端末のみに行なえるようにした
ことを特徴とする請求項１に記載のデータ管理サービスシステム。
【請求項３】  前記サーバ管理領域にアップロードされたデータ情報は、サーバ管理領域外の利用者領域への移動を制限可能とした
ことを特徴とする請求項２に記載のデータ管理サービスシステム。
【請求項４】  前記携帯電話端末と前記管理サーバ装置とに接続可能なデータ提供サービス機関のデータサーバ装置を設け、該データサーバ装置から前記管理サーバ装置へのダウンロードは、サーバ管理領域のみに行なえる
ことを特徴とする請求項２に記載のデータ管理サービスシステム。
【請求項５】  前記利用者領域に格納されている情報交換可能なデータ情報は、前記データ管理サービ機関を介してアクセス可能とする
ことを特徴とする請求項２に記載のデータ管理サービスシステム。
【請求項６】  前記携帯電話端末には、固有の識別子を送信する自動送信機能を設け、前記管理サーバ装置には、前記携帯電話端末固有の識別子情報と、任意の識別子情報の格納部と、管理サーバ装置に送られた識別子に対応する利用者領域を検索する制御部を設け、
携帯電話端末から管理サーバ装置に接続されると、対応する利用者領域を検出して情報交換可能とすることを特徴とする
請求項２に記載のデータ管理サービスシステム。
【請求項７】  前記携帯電話端末固有の識別子に対応する利用者領域が検出されない場合は、前記任意の識別子に合致する利用者領域を検出して情報交換可能とする
ことを特徴とする請求項６に記載のデータ管理サービスシステム。
【請求項８】  前記携帯電話端末には、固有の識別子を送信する自動送信機能を設け、
前記管理サーバ装置には、
前記携帯電話端末固有の識別子情報と、任意の識別子情報の格納部と、
管理サーバ装置に送られた識別子に対応する利用者領域を検索する機能と、
利用者領域に、携帯電話端末からの著作者識別情報が付されていないデータ情報をアップロードする際に、携帯電話端末固有の識別子情報に基づいて導き出される携帯電話端末の使用者を著作者とする著作者識別情報を付する機能とを備えた制御部とを設ける
ことを特徴とする請求項１に記載のデータ管理サービス。
【請求項９】  前記利用者領域にサーバ管理領域を設け、
前記管理サーバ装置の制御部には、
前記サーバ管理領域に格納された情報をダウンロードする要求を、情報の格納された利用者領域に対応する携帯電話端末以外の携帯電話端末から受けた場合は、
情報の著作者が、情報の格納された利用者領域に対応する携帯電話端末の使用者でなければ、要求を発した携帯電話端末へ要求を拒否する情報を送信し、
情報の著作者が、情報の格納された利用者領域に対応する携帯電話端末の使用者であれば、要求を発した携帯電話端末へ価格情報を送信する機能を備える、
請求項８に記載の記載のデータ管理サービス。
【発明の詳細な説明】
【０００１】
【発明の属する技術分野】
本発明は、携帯電話端末専用のデータ管理サービスシステムに関する。より詳しくは、アプリケーション等のコンテンツの著作物を保護するデータ管理サービスシステムに関する。
【０００２】
【従来の技術】
従来、携帯電話端末でゲームなどのアプリケーション等を実行するため、アプリケーション等コンテンツを購入し、データ提供サービス機関のデータサーバ装置から携帯電話端末のメモリにダウンロードし、携帯電話端末で使用していた。該携帯電話端末のメモリは、独立して存在しているため、携帯電話端末を紛失したり、故障が生じた場合、メモリに登録されている内容を再生することができず、前の機種で購入して使用していたコンテンツを新しい携帯電話端末で使用したい場合は、再度購入しなければならず、また、一度失うと個人のアドレス等のデータ情報は再現することができず、コミュニケーションや取引の手段を失う可能性があった。
また、携帯電話端末の機種を変更する場合において、店頭などでは、メモリ転送装置および情報処理装置等により、メモリ転送装置を介して携帯電話端末を情報処理装置に接続し、携帯電話端末のメモリに記憶された電話番号等の個人情報データを電子的に吸い上げる（読み込む）処理や、逆にメモリにデータを書き込む処理を行ない、前の携帯電話端末の個人情報データを新しい携帯電話に書き込んでいたが、このとき、著作権保護の観点から、アプリケーション等のデータを新しい携帯電話端末に書き込む処理はされていなかった。
【０００３】
一方、インターネット上のデータ管理サービス機関のサーバ装置を利用して、メモリ内のデータ情報をサーバ装置にアップロードしておき、必要な時に、アップロードしたデータ情報をダウンロードして使用できるサービス（ストレージサービス）が公知となっている。（例えば、特許文献１参照）
このサービスを使用することで、携帯電話端末を紛失した時や、携帯電話端末を変更した際に、サーバ装置にアップロードしておいたデータ情報を、新しい携帯電話端末にダウンロードし、携帯電話端末の紛失時や変更時に対応していた。
【０００４】
【特許文献１】
特開２００１−３５６９４７号公報
【０００５】
【発明が解決しようとする課題】
しかし、従来のデータ管理サービスは、認証手段としてアカウント及びパスワードを使用しており、このアカウントおよびパスワードを各自が入力して認証を行なっていたので、アカウントとパスワードを知っている者は、その各自の領域を使用することができた。
従って、著作権を保護しなければならない、アプリケーション等コンテンツの不法なコピーが自由に行なえ、著作権の保護が困難な状況にあるという不具合があった。
そこで、本発明では、アプリケーション等のコンテンツの著作権を保護することができるとともに、携帯電話端末の変更により従来使用していた情報データが使用できなくなるという不具合を解消する、携帯電話端末用のデータ管理サービスシステムを提供する。
【０００６】
【課題を解決するための手段】
本発明の解決しようとする課題は以上の如くであり、次にこの課題を解決するための手段を説明する。
【０００７】
即ち、請求項１においては、携帯電話端末とデータ管理サービス機関の管理サーバ装置とを通信回線を介して接続可能とするとともに、該管理サーバ装置に携帯電話端末に対応する利用者領域を設け、該利用者領域に、携帯電話端末からのデータ情報をアップロード及びダウンロードできるものである。
【０００８】
請求項２においては、前記利用者領域にサーバ管理領域を設け、該サーバ管理領域からのデータ情報のダウンロードは、前記利用者領域に対応する携帯電話端末のみに行なえるようにしたものである。
【０００９】
請求項３においては、前記サーバ管理領域にアップロードされたデータ情報は、サーバ管理領域外の利用者領域への移動を制限可能としたものである。
【００１０】
請求項４においては、前記携帯電話端末と前記管理サーバ装置とに接続可能なデータ提供サービス機関のデータサーバ装置を設け、該データサーバ装置から前記管理サーバ装置へのダウンロードは、サーバ管理領域のみに行なえるものである。
【００１１】
請求項５においては、前記利用者領域に格納されている情報交換可能なデータ情報は、前記データ管理サービ機関を介してアクセス可能とするものである。
【００１２】
請求項６においては、前記携帯電話端末には、固有の識別子を送信する自動送信機能を設け、前記管理サーバ装置には、前記携帯電話端末固有の識別子情報と、任意の識別子情報の格納部と、管理サーバ装置に送られた識別子に対応する利用者領域を検索する制御部を設け、携帯電話端末から管理サーバ装置に接続されると、対応する利用者領域を検出して情報交換可能とするものである。
【００１３】
請求項７においては、前記携帯電話端末固有の識別子に対応する利用者領域が検出されない場合は、前記任意の識別子に合致する利用者領域を検出して情報交換可能とするものである。
【００１４】
請求項８においては、
前記携帯電話端末には、固有の識別子を送信する自動送信機能を設け、
前記管理サーバ装置には、
前記携帯電話端末固有の識別子情報と、任意の識別子情報の格納部と、
管理サーバ装置に送られた識別子に対応する利用者領域を検索する機能と、
利用者領域に、携帯電話端末からの著作者識別情報が付されていないデータ情報をアップロードする際に、携帯電話端末固有の識別子情報に基づいて導き出される携帯電話端末の使用者を著作者とする著作者識別情報を付する機能とを備えた制御部とを設けるものである。
【００１５】
請求項９においては、
前記利用者領域にサーバ管理領域を設け、
前記管理サーバ装置の制御部には、
前記サーバ管理領域に格納された情報をダウンロードする要求を、情報の格納された利用者領域に対応する携帯電話端末以外の携帯電話端末から受けた場合は、
情報の著作者が、情報の格納された利用者領域に対応する携帯電話端末の使用者でなければ、要求を発した携帯電話端末へ要求を拒否する情報を送信し、
情報の著作者が、情報の格納された利用者領域に対応する携帯電話端末の使用者であれば、要求を発した携帯電話端末へ価格情報を送信する機能を備えるものである。
【００１６】
【発明の実施の形態】
次に、発明の実施の形態を説明する。
図１はデータ管理サービスシステムの概略を示す図、図２は管理サーバ装置の概略を示す図、図３は利用者領域の概略を示す図、図４は利用者領域を作成する手順を示すフローチャート、図５は手順の画面例を示す図、図６はダウンロードの前半の手順を示すフローチャート、図７はデータ情報の移動及び価格改定の手順を示すフローチャート、図８はダウンロードの後半の手順を示すフローチャート、図９はアップロードの手順を示すフローチャート、図１０は課金の流れを示す概略図である。
【００１７】
本発明のデータ管理サービスシステムは、携帯電話端末のメモリに格納されているデータを管理サーバ装置に格納して保存するとともに、著作権を有するデータ情報への処理を制限することで、データ情報の著作権の保護を可能とするものである。
図１に示すように、本発明のデータ管理サービスシステムは、携帯電話端末２１・２２・・・と、該携帯電話端末２１・２２・・・のメモリに格納されているデータ情報を管理するデータ管理サービス機関の管理サーバ装置１と、携帯電話端末２１・２２・・・にデータ情報を提供するデータ提供サービス機関のデータサーバ装置３１・３２・・・等からなり、互いに電気（無線）通信回線を利用して接続し、データ情報の送受信を可能としている。
図１に示す矢印は、データ情報の流れを表したものであり、管理サーバ装置１と携帯電話端末２１・２２・・・との間では、互いにデータの送受信が行なえ、データサーバ装置３１・３２・・・は、管理サーバ装置１と携帯電話端末２１・２２・・・とにデータの送信のみが行なえる構成としている。
尚、データ情報の送受信時には、従来と同様に、データ情報は、暗号化の処理が行なわれている。
【００１８】
まず、データ提供サービス機関のデータサーバ装置３１・３２・・・について説明する。
前記データサーバ装置３１・３２・・・は、携帯電話端末２１・２２・・・及び管理サーバ装置１に提供する複数のデータ情報３１ａ・３１ｂ・・・３２ａ・３２ｂ・・・が格納されており、携帯電話端末２１・２２・・・の指示で、選択されたデータ情報を携帯電話端末２１・２２・・・、管理サーバ装置１に送信できる。
データ情報は、携帯電話端末で使用可能なコンテンツのデータ情報で、具体的には、ゲーム等のアプリケーション、着信メロディ等の音楽、待ち受け画面用の画像及び写真等である。
これらのデータ情報３１ａ・３１ｂ・・・３２ａ・３２ｂ・・・は、著作物であり、著作権を有している。従って、携帯電話端末２１・２２・・・の利用者が許可なくこれらのデータ情報３１ａ・３１ｂ・・・３２ａ・３２ｂ・・・を複製することが禁止されている。
また、これらのデータ情報３１ａ・３１ｂ・・・には、誰の著作物であるかを識別する著作者識別情報８１ａ・８１ｂ・・・が付されている。
【００１９】
次に、携帯電話端末について説明する。
携帯電話端末２１は、少なくとも、携帯電話端末２１の所有者等や、コンテンツ等のデータ情報を記憶するメモリ４１、携帯電話端末に所定の操作入力するための操作部２１ａと、携帯電話の操作状況を表示する表示部２１ｂと、通話を行なうための送受信部５１やスピーカやマイク等を具備している。
また、前記メモリ４１には、携帯電話端末の固有の識別子４１ａ、及び、携帯電話端末２１の所有者等の個人データ４１ｂやアプリケーション等のデータ情報４１ｃが格納されている。本実施例では、この識別子４１ａを、携帯電話端末の電話番号、携帯電話機端末の製造番号及び携帯電話端末利用者が選択するパスワードとしている。
【００２０】
前記送受信部５１は、携帯電話端末２１を管理サーバ装置１や該データサーバ装置３１・３２・・・に接続する際、識別子４１ａを自動的に管理サーバ装置１や該データサーバ装置３１・３２・・・に送る、自動送信機能５１ａを有しており、この自動送信機能５１ａは、送受信部５１に内蔵している。また、自動送信機能５１ａ’を有するアダプタ装置を別個に設けて、該アダプタ装置を携帯電話端末のコネクタに接続して使用することもできる。
アダプタ装置を使用する場合、このアダプタ装置を携帯電話端末のストラップに装着する構造とすることで、持ち運びがし易くなり、携帯性を図ることができる。また、アダプタ装置自体の外形をアニメや動物等のキャラクタの形状とすることで意匠性を高め、購買意欲をそそり、付加価値を高めることができる。そして、該アダプタ装置を使うことで、携帯電話端末の種類に関係なく、つまり、自動送信機能５１ａを有しない携帯電話端末もデータ管理サービスを利用することができる。
送受信部５１は、携帯電話端末２１の指定されたデータ情報４１ｃを、後述する利用データ情報７１の指定された領域に、アップロードを行なうデータ情報送信機能５１ｂを有している。
また、携帯電話端末から、管理サーバ装置１へのデータ情報のアップロードは、従来と同様に、データ情報をメールに添付して送信する。また、その他のアップロード手段により行なうこともできる。
尚、携帯電話端末２２・・・も、携帯電話端末２１と同様の構成を具備している。
【００２１】
次に、データ管理サービス機関の管理サーバ装置の概略構成について、説明する。
図２に示すように、管理サーバ装置１の内部には、複数の利用者領域１１・１２・・・が設けられて格納部を構成している。これらの利用者領域１１・１２・・・には、本人情報６１・６２・・・と利用データ情報７１・７２・・・からなり、利用データ情報７１は、携帯電話端末２１のメモリ４１に格納されているコンテンツ等のデータ情報４１ｃを保存するスペースとして使用できる。
本人情報６１は、利用者の識別子６１ａと、課金の情報を格納する課金情報６１ｂ、管理サーバ装置の利用履歴情報である利用ログ６１ｃ、任意の識別子であるパスワード６１ｄ等の情報を格納している。利用者の識別子６１ａは、利用者を確認するために使用されるもので、携帯電話端末２１の自動送信機能５１ａにより受信した識別子４１ａと比較して、一致する識別子６１ａを有する利用者領域１１を選択して情報交換できるようにしている。このように、携帯電話端末２１に対応する利用者領域１１を選択し、利用者領域１１の利用データ情報７１内に格納されているデータ情報の処理を行なえるようにしている。
また、管理サーバ装置１には、識別子及びパスワード等により携帯電話端末２１・２２・・・と利用者領域１１・１２・・・とを対応させる判別機能や、本人情報への書き込みを行なう機能、後述する著作者識別情報を付加する機能等を有する制御部１ａが設けられている。
尚、本人情報は、各利用者領域１１・１２・・・に個別に格納することもでき、また、管理サーバ装置１にセキュリティ領域を設け、それぞれの利用者領域１１・１２・・・の本人情報を一括して格納することもできる。また、本人情報は、高度なセキュリティにより保護されている。
【００２２】
前記利用データ情報７１は、一般公開領域７１ａ、パスワード制限公開領域７１ｂ、サーバ管理領域である著作権保護領域７１ｃに分割されている。
一般公開領域７１ａは、異なる利用者でもアクセス可能な領域としており、例えば、一般公開領域７１ａに複数の者が利用するデータ情報をアップロードしておくと、この一般公開領域７１ａを有する利用者領域１１と関連付けられている固有の携帯電話端末２１からだけでなく、他の携帯電話端末２２・・や、コンピュータ端末等からアクセスして情報交換可能としている。但し、通常は閲覧やダウンロードのみである。
パスワード制限公開領域７１ｂは、パスワード６１ｄを知っている利用者のみがアクセス可能な領域としており、例えば、個人で使う場合は、バックアップのために携帯電話端末に格納されている電話帳や写真等のデータ情報を格納でき、また、グループ内で使用する場合は、使用するデータ情報をパスワード制限公開領域７１ｂに格納しておき、そのグループにパスワード６１ｄを知らせておき、アクセスして情報交換可能にすることができる。
尚、一般公開領域７１ａ及びパスワード制限公開領域７１ｂへは、コンピュータ端末によりネットワークを介して、アクセスすることもできる。
【００２３】
次に、サーバ管理領域である著作権保護領域７１ｃについて説明する。
この著作権保護領域７１ｃは、その著作権保護領域を有する利用者領域１１に対応する携帯電話端末２１でのみ接続できる領域で、その利用者領域１１に対応しない携帯電話端末やコンピュータ端末から接続できないセキュリティを備えた領域である。
ここで、利用者領域に対応する携帯電話端末であるか否かの判断は、管理サーバ装置１が、利用者領域１１の本人情報６１の識別子６１ａと、携帯電話端末２１のメモリ４１に格納されている識別子４１ａとを比較して判断している。
【００２４】
また、著作権保護領域に格納されるデータ情報は、著作権を有するものであり、例えば、ゲーム等のアプリケーション、音楽、画像、写真等のコンテンツ等であり、これらのデータ情報は、前記データサーバ装置３１・３２・・・から配付されたり、個人が作成して配付されていたりするものである。
前記データサーバ装置３１・３２・・・から配布されているコンテンツ等のデータ情報３１ａ・３１ｂ・・・３２ａ・３２ｂ・・・は、誰の著作物であるかを識別可能とする著作者識別情報８１ａ・８１ｂ・・・８２ａ・８２ｂ・・・が付されて配付される。一方、個人が作成したコンテンツ等のデータ情報には、通常この識別情報が付されていないため、データ情報が、著作権保護領域にアップロードされた時に、管理サーバ装置１により著作者識別情報を付加している。この著作者識別情報は、データ情報のアップロードが行われた際に使用された携帯電話端末２１の識別子４１ａを基にしている。
つまり、個人が作成し、著作権保護領域にアップロードされたデータ情報の著作者は、アップロードが行われた際使用された携帯電話端末２１の使用者とする著作者識別情報がデータ情報に付されることとなる。
【００２５】
次に、利用データ情報における各領域間のデータ情報の移動について、説明する。
図３において、実線での矢印は領域間の移動が可能であることを表し、点線での矢印は領域間の移動が不可能であることを表している。
つまり、一般公開領域７１ａに格納されているデータ情報は、パスワード制限公開領域７１ｂ及び著作権保護領域７１ｃへの移動が可能としている。
また、パスワード制限公開領域７１ｂに格納されているデータ情報は、著作権保護領域７１ｃへの移動が可能である。しかし、著作権保護領域７１ｃに格納されているデータ情報は、他の領域７１ａ・７１ｂに移動できないように制限している。
【００２６】
以上のような構成において、データ管理サービスを、利用者が使用する場合の手順について説明する。
まず、データ管理サービス機関の管理サーバ装置１に利用者領域を作成する手順について説明する。
図４に示すように、携帯電話端末２１からデータ管理サービス機関に接続し（Ｓ１）、携帯電話端末２１の自動送信機能５１ａにより、携帯電話端末２１固有の識別子４１ａである携帯電話番号及び製造番号を、データ管理サービス機関に送信する（Ｓ２）。
データ管理サービス機関は、送信された識別子４１ａに対応する利用者領域を検索し（Ｓ３）、対応する利用者領域が管理サーバ装置１になければ（Ｓ３：Ｎｏ）、図５の画面例９１に示すように、携帯電話端末２１に利用者領域作成画面を表示させる（Ｓ４）。
【００２７】
ここで、携帯電話端末２１にパスワードが入力されると、データ管理サービス機関に送信され（Ｓ５）、入力されたパスワードに対応する利用者領域１１が存在するか否かの判断をする（Ｓ３７）。
入力されたパスワードに対応する利用者領域１１がない場合は（Ｓ３７：Ｎｏ）、管理サーバ装置１に、当該携帯電話端末用の利用者領域１１が新たに作成され（Ｓ６）、この利用者領域１１の本人情報６１のパスワード６１ｄに入力されたパスワードのデータを、また、識別子６１ａに送信された識別子４１ａのデータを格納する（Ｓ７）。また、本人情報６１の課金情報６１ｂ及び利用ログ６１ｃにもデータが格納される。
一方、接続した携帯電話端末２１の識別子４１ａに対応する利用者領域１１が管理サーバ装置１にある場合は（Ｓ３７：Ｙｅｓ）、携帯電話端末２１の表示部２１ｂに、項目の選択画面が表示される。本実施例では、図５の画面例９３に示すように、項目として「ファイルを見る」、「検索」、「ＬＯＧＯＦＦ」の選択画面が表示される（Ｓ８）。
【００２８】
次に、利用データ情報７１に格納されているデータ情報を、携帯電話端末２１にダウンロードする手順について説明する。
前述の如く、携帯電話端末２１からデータ管理サービス機関に接続し（Ｓ１）、携帯電話端末２１の自動送信機能５１ａにより、携帯電話端末２１固有の識別子４１ａである携帯電話番号及び製造番号を、データ管理サービス機関に送信し（Ｓ２）、識別子４１ａに対応する利用者領域１１が管理サーバ装置１にある場合は（Ｓ３：Ｙｅｓ）、携帯電話端末２１の表示部２１ｂに、項目である「ファイルを見る」、「検索」、「ＬＯＧＯＦＦ」、「フォルダの追加」、「フォルダの削除」の選択画面が表示される（Ｓ８）。
【００２９】
ここで、図６に示すように、携帯電話端末２の操作部２１ａが操作されて「ＬＯＧＯＦＦ」が選択されると（Ｓ９：Ｙｅｓ）、データ管理サービスが終了する。
また、携帯電話端末２の操作部２１ａが操作されて「ファイルを見る」が選択されると、ファイルの種類が表示される（Ｓ１０）。本実施例では、各項目を図５の画面例９４に示すように、「アプリケーション」、「音楽データ」、「画像データ」を表示している。
尚、「ファイルを見る」が選択された後に、「一般公開領域」、「パスワード制限公開領域」、「著作権保護領域」の選択画面を表示し、領域を選択可能にすることもできる。
また、「フォルダの追加」、「フォルダの削除」を選択することで、フォルダを自由に追加・削除できる。そして、「フォルダの追加」で作成されたフォルダは、ファイルの種類の選択画面に表示され選択可能となる。ここで、携帯電話端末２１の使用者により、操作部２１ａが操作されて、作成されたフォルダが選択されると、フォルダ内に格納されたファイルが表示され、フォルダ内のファイルの選択を可能としている。
【００３０】
そして、携帯電話端末２１の使用者により、操作部２１ａが操作されてファイルの種類が選択されると、図５の画面例９５に示すように、選択されたファイルの種類に該当し、携帯電話端末２１の識別子４１ａに対応する、利用者領域１１のデータ情報が、表示部２１ｂに一覧で表示される（Ｓ１１）。
ここで、ダウンロードするデータ情報Ａが選択されると、図５の画面例９６に示すように、「ダウンロード」、「削除」、「属性変更」の選択画面が表示される（Ｓ１２）。
「ダウンロード」が選択されると（Ｓ１３：Ｙｅｓ）、図５の画面例９７に示すように、表示部２１ｂに確認の画面が表示され、データ情報Ａの格納されている領域を検出する（Ｓ１４）。
【００３１】
ここで、データ情報Ａが、著作権保護領域７１ｃに格納されている場合は（Ｓ１５：Ｙｅｓ）、著作権保護領域７１ｃが格納されている利用者領域１１の識別子６１ａと、接続されている携帯電話端末２１の識別子４１ａとが一致しているかを確認する（Ｓ１６）。一致していれば（Ｓ１６：Ｙｅｓ）、データ情報Ａのダウンロードを行ない（Ｓ１７）、一致していなければ、図５の画面例９９に示すように、エラーメッセージを表示部２１ｂに表示する（Ｓ１８）。
一方、データ情報Ａが、著作権保護領域７１ｃ以外の領域に格納されている場合は（Ｓ１５：Ｎｏ）、データ情報Ａのダウンロードを行なう（Ｓ１７）。
【００３２】
データ情報Ａの選択画面（画面例９６）において、「削除」が選択されると（Ｓ１９：Ｙｅｓ）、図５の画面例１００に示すように、確認の画面が表示部２１ｂに表示され（Ｓ２０）、「削除する」を選択すると（Ｓ２１：Ｙｅｓ）、データ情報Ａの削除を行なう（Ｓ２２）。
また、データ情報Ａの選択画面（画面例９６）において、「属性変更」が選択されると（Ｓ１９：Ｎｏ）、図７に示すように、属性変更画面が表示される（Ｓ２３）。本実施例では、図５の画面例１０２に示すように、「移動」、「保護解除」、「価格改定」の選択画面が表示される。
ここで、「移動」が選択されると（Ｓ２４：Ｙｅｓ）、データ情報Ａが格納されている領域を検出して（Ｓ２５）、図５の画面例１０３に示すように、検出した領域以外の領域を移動先の領域として表示部２１ｂに表示する（Ｓ２６）。
【００３３】
そして、移動先の領域が選択されると（Ｓ２７）、まず、データ情報Ａの格納されている領域が著作権保護領域７１ｃであるか否かを判断する（Ｓ２８）。ここで、データ情報Ａの格納されている領域が著作権保護領域７１ｃ以外の領域である場合は（Ｓ２８：Ｎｏ）、選択された領域にデータ情報Ａが移動される（Ｓ３１）。
一方、データ情報Ａの格納されている領域が著作権保護領域７１ｃである場合は（Ｓ２８：Ｙｅｓ）、データ情報Ａに付されている著作者識別情報を検出する（Ｓ２９）。そして、この著作者識別情報により、データ情報Ａの著作者が、該携帯電話端末２１の使用者であるかを判断する（Ｓ３０）。
ここで、データ情報Ａの著作者が、該携帯電話端末２１の使用者と対応する場合は（Ｓ３０：Ｙｅｓ）、選択された移動先の領域にデータ情報Ａが移動される（Ｓ３１）。データ情報Ａの著作者が、該携帯電話端末２１の使用者に対応しない場合は（Ｓ３０：Ｎｏ）、図５の画面例１０５に示すように、エラーメッセージが表示される（Ｓ３２）。
【００３４】
次に、データサーバ装置３１・３２・・・から、コンテンツ等のデータ情報３１ａ・３１ｂ・・・を携帯電話端末２１またはデータ管理サービス機関の管理サーバ装置１にダウンロードする手順について、図８を用いて説明する。
前記携帯電話端末２１の操作部２１ａが操作されてデータ提供サービス機関のデータサーバ装置３１に接続され（Ｓ４１）、携帯電話端末２１の自動送信機能５１ａにより、携帯電話端末２１固有の識別子４１ａである携帯電話番号及び製造番号を、データサーバ装置３１に送信すると（Ｓ４２）、携帯電話端末２１の表示部２１ｂに、コンテンツ等のデータ情報３１ａ・３１ｂ・・・の一覧が表示される（Ｓ４３）。
【００３５】
ここで、操作部２１ａが操作されて、ダウンロードするデータ情報３１ａが選択されると（Ｓ４４：Ｙｅｓ）、携帯電話端末２１の使用者が、データ管理サービスを利用しているかを判断する。
ここで、データサーバ装置３１は、データ管理サービス機関の管理サーバ装置１に接続し（Ｓ４５）、携帯電話端末２１の識別子４１ａを基に、該携帯電話端末２１の利用者領域の存在を確認する（Ｓ４６）。
該携帯電話端末２１の利用者領域が存在しない場合は（Ｓ４６：Ｎｏ）、携帯電話端末２１に選択されたデータ情報３１ａがダウンロードされる（Ｓ５０）。携帯電話端末２１の使用者の利用者領域１１が存在する場合は（Ｓ４６：Ｙｅｓ）、ダウンロード先として「携帯電話端末」、「データ管理サービス」、「携帯電話端末及びデータ管理サービス」を選択する選択画面が表示部２１ｂに表示される（Ｓ４７）。
【００３６】
そして、オペレータによって操作部２１ａが操作されて、ダウンロード先として、「携帯電話端末及びデータ管理サービス」が選択されると（Ｓ４８：Ｙｅｓ）、選択されたデータ情報３１ａが、管理サーバ装置１における利用者領域１１の著作権保護領域７１ｃにダウンロードされる（Ｓ４９）とともに、携帯電話端末２１にもダウンロードされる（Ｓ５０）。
ダウンロード先として、「携帯電話端末」が選択されると（Ｓ５１：Ｙｅｓ）、選択されたデータ情報３１ａが携帯電話端末２１にダウンロードされる（Ｓ５０）。
ダウンロード先として「データ管理サービス」が選択されると（Ｓ５１：Ｎｏ）、選択されたデータ  情報３１ａが、管理サーバ装置１における利用者領域１１の著作権保護領域７１ｃにダウンロードされる（Ｓ５２）。
【００３７】
このように、著作権保護領域７１ｃには、著作権保護領域７１ｃの利用者である携帯電話端末２１のみのアクセスとするとともに、著作権保護領域７１ｃに格納されたデータ情報は、他の領域に移動できない構成とするので、著作権を有するデータ情報を、管理サーバ装置１の著作権保護領域７１ｃにダウンロードすることで、著作権を有するデータ情報の再配布を防ぎ、データ情報の著作権の侵害を防止することができる。
【００３８】
次に、携帯電話端末２１に格納されているデータ情報を、利用データ情報７１にアップロードする手順について、図９を用いて説明する。
まず、携帯電話端末２１のメモリ４１に格納されているデータ情報４１ｃの中からアップロードするデータ情報Ｂが選択されると（Ｓ５３）、アップロードする領域の選択画面が表示される（Ｓ５４）。
ここで、アップロードする領域が指定されると（Ｓ５４）、前記データ情報送信機能５１ｂにより指定された領域に、データ情報Ｂがアップロードされる（Ｓ５８）。
ただし、指定した領域が著作権保護領域である場合であって（Ｓ５５：Ｙｅｓ）、アップロードしたデータ情報Ｂが、携帯電話端末２１の使用者により作成され、著作者識別情報が付されていない場合は（Ｓ５６：Ｎｏ）、データ情報Ｂがアップロードされるとともに、著作者が携帯電話端末２１の使用者とする著作者識別情報が付される（Ｓ５７）。
【００３９】
このように、携帯電話端末のメモリ内のデータ情報を、管理サーバ装置１にアップロード及びダウンロードできる構成としたので、携帯電話端末内のメモリに格納しきれないデータ情報を管理サーバ装置に保存でき、データ情報の入れ替えが可能となる。
【００４０】
また、データ管理サービス機関の管理サーバ装置に格納されているデータ情報のうち、データ情報の著作者が携帯電話端末２１の使用者である場合、携帯電話端末２１使用者はそのデータ情報を販売することが可能である。次に、この手順について説明する。
前述の如く、図４に示すように、携帯電話端末２１からデータ管理サービス機関に接続すると（Ｓ１）、携帯電話端末２１の表示部２１ｂに、項目の選択画面が表示される（Ｓ８）。ここで、図６に示すように、「ファイルを見る」を選択し（Ｓ１０）、ファイルの種類が選択されると、データ情報一覧が表示される（Ｓ１１）。
ここで、販売したいデータ情報Ｃを選択すると、図５の画面例９６に示すように、「ダウンロード」、「削除」、「属性変更」の選択画面が表示される（Ｓ１２）。
ここで、「属性変更」が選択されると（Ｓ１９：Ｎｏ）、図５の画面例１０２に示すように、属性変更画面が表示される（Ｓ２３）。
ここで、図７に示すように「価格改定」が選択されると（Ｓ３３：Ｙｅｓ）、価格入力画面が表示されて（Ｓ３４）、販売価格が入力されると（Ｓ３５：Ｙｅｓ）、入力された販売価格の価格情報がデータ情報Ｃに付加される（Ｓ３６）。
【００４１】
そして、データ情報Ｃの購入希望者が確認されると、データ情報Ｃを、購入希望者の携帯電話端末２２、または、携帯電話端末２２に対応する利用者領域１２を有している場合は該利用者領域１２の著作権保護領域７２ｃ、または、携帯電話端末２２及び著作権保護領域７２ｃに、データ情報Ｃがダウンロードされる。ここで、データ情報Ｃがダウンロードされると、データ情報Ｃの属する利用者領域１１の課金情報６１ｂに販売情報が書き込まれる。
一方、データ情報Ｃがダウンロードされた利用者領域１２の課金情報６２ｂには、購入情報が書き込まれる。
そして、これらの課金情報６１ｂを基にして、管理サーバ装置１の使用料も含めて、データ管理サービス機関が一括して決済を行なうこととしている。
【００４２】
このような構成とすることで、作成したデータ情報を販売することによって生じた小額の決済もデータ管理サービス機関が一括して処理するので、容易にデータ情報の販売・購入が行なえるようになる。また、販売するデータ情報は、著作者識別情報が付されて、携帯電話端末または著作権保護エリアにダウンロードされるため、販売したデータ情報の再配布・再販売を防止することができ、データ情報の著作権が保護される。
なお、著作権を保護する必要のないデータ情報は、一般公開領域やパスワード制限公開領域にダウンロードすることで、データ情報を自由に使用することができる。
【００４３】
次に、課金の流れについて、図１０を用いて説明する。
データ管理サービスは、複数のサービス利用機関から課金情報を収集可能としている。
つまり、図１０の実線の矢印に示すように、データ管理サービスは、利用者領域の使用者である携帯電話端末２１・２２・・・の使用者に対して使用料を収集するとともに、データ提供サービス機関３の提供業者やＡＳＰ（アプリケーションサービスプロバイダー）事業機関４の事業者等から使用料を収集する構成としている。
なお、図１０における点線の矢印は、携帯電話端末２１の使用者の、データ提供サービス機関３やＡＳＰ事業機関４の使用料を示している。
このような構成とすることで、利用者領域の使用者に対しては、低額の使用料でサービスを提供することができ、また、データ提供サービス機関等は、提供するデータ情報の著作権が保護されるデータ管理サービスを使用することで、悪意のある使用者がデータ情報を再配布する等による著作権の侵害を防止することができ、著作権侵害による損害を防ぐことができる。
【００４４】
次に、携帯電話端末変更の際の、データ情報のダウンロード方法について説明する。
図４に示すように、携帯電話端末を変更した際は、携帯電話番号及び製造番号が異なるため、携帯電話端末をデータ管理サービス機関の管理サーバ装置に接続すると（Ｓ１）、新しい携帯電話端末の電話番号と製造番号が識別子として使用されるため、前回使用していた利用者領域１１を検索できず（Ｓ３：Ｎｏ）、対応する利用者領域が管理サーバ装置１にないこととなり、図５の画面例９１に示すように、携帯電話端末の表示部に利用者領域選択画面が表示される（Ｓ４）。ここで、前回使用していたパスワードが入力されると、利用者領域の本人情報に格納されているパスワード６１ｄと比較して、一致する利用者領域を検索する（Ｓ３７）。
一致する利用者領域が存在すると（Ｓ３６：Ｙｅｓ）、本人情報６１に格納されている識別子６１ａを、新しい携帯電話端末の電話番号及び製造番号に書き換え（Ｓ３８）、次回から、新しい携帯電話端末と利用者領域１１とが対応するようにする。
そして、書き換えられた本人情報６１を有する利用者領域１１の利用データ情報７１が携帯電話端末に送信され、前述の如く操作が行なえるようにしている。なお、本人情報６１に格納されている利用ログ６１ｃを利用することで、携帯電話端末の頻繁な変更を防止し、管理サーバ装置１の利用者領域１１の不正なアクセスを防止する。
【００４５】
以上のような構成としたことで、携帯電話端末を買い換えたり、紛失したりして新しい携帯電話端末に変更しても、新しい携帯電話端末で、従来使用していた利用者領域を使用することができ、従来使用していたデータ情報を、管理サーバ装置からダウンロードすることが可能となる。
また、データ提供サービス機関３の提供業者等は、提供するデータ情報の著作権が保護されるデータ管理サービスを使用することで、悪意のある使用者がデータ情報を再配布・再販売する等で、著作権が侵害されることによる損害を防ぐことができる。
【００４６】
【発明の効果】
本発明は、以上のように構成したので、以下に示すような効果を奏する。
【００４７】
即ち、請求項１に示す如く、携帯電話端末とデータ管理サービス機関の管理サーバ装置とを通信回線を介して接続可能とするとともに、該管理サーバ装置に携帯電話端末に対応する利用者領域を設け、該利用者領域に、携帯電話端末からのデータ情報をアップロード及びダウンロードできるので、
携帯電話端末内に格納しきれないデータ情報を管理サーバ装置に保存でき、データ情報の入れ替えが可能となる。
【００４８】
請求項２に示す如く、前記利用者領域にサーバ管理領域を設け、該サーバ管理領域からのデータ情報のダウンロードは、前記利用者領域に対応する携帯電話端末のみに行なえるようにしたので、
例えば、著作権を有するデータ情報を、管理サーバ装置１のサーバ管理領域にダウンロードすることで、著作権を有するデータ情報の再配布を防ぎ、データ情報の著作権の侵害を防止することができる。
【００４９】
請求項３に示す如く、前記サーバ管理領域にアップロードされたデータ情報は、サーバ管理領域外の利用者領域への移動を制限可能としたので、
例えば、著作権を有するデータ情報を、管理サーバ装置１のサーバ管理領域にのみ格納することで、著作権を有するデータ情報の再配布を防ぎ、データ情報の著作権の侵害を防止することができる。
【００５０】
請求項４に示す如く、前記携帯電話端末と前記管理サーバ装置とに接続可能なデータ提供サービス機関のデータサーバ装置を設け、該データサーバ装置から前記管理サーバ装置へのダウンロードは、サーバ管理領域のみに行なえるので、
データ提供サービス機関の提供業者等は、提供するデータ情報の著作権が保護されるデータ管理サービスを使用でき、悪意のある使用者がデータ情報の再配布・再販売する等により、著作権の侵害による損害を防ぐことができる。
【００５１】
請求項５に示す如く、前記利用者領域に格納されている情報交換可能なデータ情報は、前記データ管理サービ機関を介してアクセス可能とするので、
例えば、作成したデータ情報を販売・購入する場合においては、販売により生じた小額の決済もデータ管理サービス機関が一括して処理するので、容易にデータ情報の販売・購入が行なえるようになる。
【００５２】
請求項６に示す如く、前記携帯電話端末には、固有の識別子を送信する自動送信機能を設け、前記管理サーバ装置には、前記携帯電話端末固有の識別子情報と、任意の識別子情報の格納部と、管理サーバ装置に送られた識別子に対応する利用者領域を検索する制御部を設け、携帯電話端末から管理サーバ装置に接続されると、対応する利用者領域を検出して情報交換可能とするので、
アカウント、パスワード等を入力する必要がなく、操作手順が簡素化でき、また、利用者領域のサーバ管理領域へのアクセスを制限することもできる。
【００５３】
請求項７に示す如く、前記携帯電話端末固有の識別子に対応する利用者領域が検出されない場合は、前記任意の識別子に合致する利用者領域を検出して情報交換可能とするので、
携帯電話端末を買い換えたり、紛失したりして新しい携帯電話端末に変更しても、新しい携帯電話端末で、従来使用していた利用者領域を使用することができ、管理サーバ装置から、従来使用していたデータ情報を新しい携帯電話端末にダウンロードすることが可能となる。
【００５４】
請求項８に示す如く、
前記携帯電話端末には、固有の識別子を送信する自動送信機能を設け、
前記管理サーバ装置には、
前記携帯電話端末固有の識別子情報と、任意の識別子情報の格納部と、
管理サーバ装置に送られた識別子に対応する利用者領域を検索する機能と、
利用者領域に、携帯電話端末からの著作者識別情報が付されていないデータ情報をアップロードする際に、携帯電話端末固有の識別子情報に基づいて導き出される携帯電話端末の使用者を著作者とする著作者識別情報を付する機能とを備えた制御部とを設けるので、
利用者領域にある情報が譲渡される際に、情報には著作者識別情報が付された状態となるので、情報の著作権の保護を図ることができる。
【００５５】
請求項９に示す如く、
前記利用者領域にサーバ管理領域を設け、
前記管理サーバ装置の制御部には、
前記サーバ管理領域に格納された情報をダウンロードする要求を、情報の格納された利用者領域に対応する携帯電話端末以外の携帯電話端末から受けた場合は、
情報の著作者が、情報の格納された利用者領域に対応する携帯電話端末の使用者でなければ、要求を発した携帯電話端末へ要求を拒否する情報を送信し、
情報の著作者が、情報の格納された利用者領域に対応する携帯電話端末の使用者であれば、要求を発した携帯電話端末へ価格情報を送信する機能を備えるので、
著作権を保護すべき情報の再配布を防止し、情報の著作権の侵害を防止することができる。また、利用者領域に対応する携帯電話端末にて作成され他に譲渡しようとする情報を、著作者識別情報が付された状態で譲渡することができる。
【図面の簡単な説明】
【図１】データ管理サービスシステムの概略を示す図。
【図２】管理サーバ装置の概略を示す図。
【図３】利用者領域の概略を示す図。
【図４】利用者領域を作成する手順を示すフローチャート。
【図５】手順の画面例を示す図。
【図６】ダウンロードの前半の手順を示すフローチャート。
【図７】データ情報の移動及び価格改定の手順を示すフローチャート。
【図８】ダウンロードの後半の手順を示すフローチャート。
【図９】アップロードの手順を示すフローチャート。
【図１０】課金の流れを示す概略図。
【符号の説明】
１  管理サーバ装置
３  データ提供サービス機関
１１  利用者領域
２１・２２  携帯電話端末
３１・３２  データサーバ装置
６１ａ  固有の識別子（識別子）
６１ｄ  任意の識別子（パスワード）
７１ｃ  サーバ管理領域（著作権保護領域）